【手続補正書】
【提出日】平成21年11月27日(2009.11.27)
【手続補正１】
【補正対象書類名】明細書
【補正対象項目名】発明の名称
【補正方法】変更
【補正の内容】
【発明の名称】移動局、及び無線通信システム
【手続補正２】
【補正対象書類名】明細書
【補正対象項目名】００２０
【補正方法】変更
【補正の内容】
【００２０】
本移動局は、
物理チャネルの種類に応じて、周波数軸上でくし歯形状のスペクトラムを有した信号、あるいは周波数軸上で所定の帯域に割り当てられた信号を割り当てることによって、信号を生成する生成部と、
前記生成部において生成した信号を基地局へ送信する送信部と
を備える。
【手続補正３】
【補正対象書類名】明細書
【補正対象項目名】００２１
【補正方法】変更
【補正の内容】
【００２１】
本移動局は、
送信対象の情報系列を入力する入力部と、
前記入力部において入力した情報系列に対して、所定の繰返し数分の繰返しを行うことによって、繰返し後の系列を生成する生成部と、
前記生成部において生成した系列を基地局へ送信する送信部と
を備え、
前記生成部は、物理チャネルの種類に応じて繰返し数を決定する。
【手続補正４】
【補正対象書類名】明細書
【補正対象項目名】００２２
【補正方法】変更
【補正の内容】
【００２２】
本無線通信システムは、
移動局と基地局からなる無線通信システムであって、
前記移動局は、
物理チャネルの種類に応じて、周波数軸上でくし歯形状のスペクトラムを有した信号、あるいは周波数軸上で所定の帯域に割り当てられた信号を割り当てることによって、信号を生成する生成部と、
前記生成部において生成した信号を基地局へ送信する送信部と
を備え、
前記基地局は、
前記送信部から送信された前記信号を受信する受信部
を備える。
【手続補正５】
【補正対象書類名】明細書
【補正対象項目名】００２３
【補正方法】変更
【補正の内容】
【００２３】
本無線通信システムは、
移動局と基地局からなる無線通信システムであって、
前記移動局は、
送信対象の情報系列を入力する入力部と、
前記入力部において入力した情報系列に対して、所定の繰返し数分の繰返しを行うことによって、繰返し後の系列を生成する生成部と、
前記生成部において生成した系列を基地局へ送信する送信部と
を備え、
前記生成部は、物理チャネルの種類に応じて繰返し数を決定し、
前記基地局は、
前記送信部から送信された前記信号を受信する受信部
を備える。
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】削除
【補正の内容】
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】削除
【補正の内容】
【手続補正１１】
【補正対象書類名】明細書
【補正対象項目名】００２９
【補正方法】削除
【補正の内容】
【手続補正１２】
【補正対象書類名】特許請求の範囲
【補正対象項目名】全文
【補正方法】変更
【補正の内容】
【特許請求の範囲】
【請求項１】
物理チャネルの種類に応じて、周波数軸上でくし歯形状のスペクトラムを有した信号、あるいは周波数軸上で所定の帯域に割り当てられた信号を割り当てることによって、信号を生成する生成部と、
前記生成部において生成した信号を基地局へ送信する送信部と
を備えることを特徴とする移動局。
【請求項２】
前記生成部は、周波数軸上でくし歯形状のスペクトラムを有した信号を割り当てる場合に、前記基地局へアクセスしている移動局の数にかかわらず、くし歯の間隔が一定の信号を生成することを特徴とする請求項１に記載の移動局。
【請求項３】
前記生成部は、周波数軸上でくし歯形状のスペクトラムを有した信号を割り当てる場合に、くし歯形状のスペクトラムを有した信号をコード多重するための処理も実行することを特徴とする請求項１または２に記載の移動局。
【請求項４】
前記生成部は、前記基地局において決定されたガードインターバル長であって、かつセル構成、セル半径、セルにおけるマルチパス遅延の大きさ、セル内のユーザ数、のうちの少なくとも１つをもとに決定されたガードインターバル長のガードインターバルを挿入することを特徴とする請求項１ないし３のいずれか１項に記載の移動局。
【請求項５】
送信対象の情報系列を入力する入力部と、
前記入力部において入力した情報系列に対して、所定の繰返し数分の繰返しを行うことによって、繰返し後の系列を生成する生成部と、
前記生成部において生成した系列を基地局へ送信する送信部と
を備え、
前記生成部は、物理チャネルの種類に応じて繰返し数を決定することを特徴とする移動局。
【請求項６】
前記生成部は、前記基地局へアクセスしている移動局の数にかかわらず一定の繰返し数を使用することを特徴とする請求項５に記載の移動局。
【請求項７】
前記生成部は、コード多重のための処理も実行することを特徴とする請求項５または６に記載の移動局。
【請求項８】
前記生成部は、前記基地局において決定されたガードインターバル長であって、かつセル構成、セル半径、セルにおけるマルチパス遅延の大きさ、セル内のユーザ数、繰返し後の系列の大きさ、のうちの少なくとも１つをもとに決定されたガードインターバル長のガードインターバルを挿入することを特徴とする請求項５ないし７のいずれか１項に記載の移動局。
【請求項９】
移動局と基地局からなる無線通信システムであって、
前記移動局は、
物理チャネルの種類に応じて、周波数軸上でくし歯形状のスペクトラムを有した信号、あるいは周波数軸上で所定の帯域に割り当てられた信号を割り当てることによって、信号を生成する生成部と、
前記生成部において生成した信号を基地局へ送信する送信部と
を備え、
前記基地局は、
前記送信部から送信された前記信号を受信する受信部
を備えることを特徴とする無線通信システム。
【請求項１０】
前記生成部は、周波数軸上でくし歯形状のスペクトラムを有した信号を割り当てる場合に、前記基地局へアクセスしている移動局の数にかかわらず、くし歯の間隔が一定の信号を生成することを特徴とする請求項９に記載の無線通信システム。
【請求項１１】
前記生成部は、周波数軸上でくし歯形状のスペクトラムを有した信号を割り当てる場合に、くし歯形状のスペクトラムを有した信号をコード多重するための処理も実行することを特徴とする請求項９または１０に記載の無線通信システム。
【請求項１２】
前記生成部は、前記基地局において決定されたガードインターバル長であって、かつセル構成、セル半径、セルにおけるマルチパス遅延の大きさ、セル内のユーザ数、のうちの少なくとも１つをもとに決定されたガードインターバル長のガードインターバルを挿入することを特徴とする請求項９ないし１１のいずれか１項に記載の無線通信システム。
【請求項１３】
移動局と基地局からなる無線通信システムであって、
前記移動局は、
送信対象の情報系列を入力する入力部と、
前記入力部において入力した情報系列に対して、所定の繰返し数分の繰返しを行うことによって、繰返し後の系列を生成する生成部と、
前記生成部において生成した系列を基地局へ送信する送信部と
を備え、
前記生成部は、物理チャネルの種類に応じて繰返し数を決定し、
前記基地局は、
前記送信部から送信された前記信号を受信する受信部
を備えることを特徴とする無線通信システム。
【請求項１４】
前記生成部は、前記基地局へアクセスしている移動局の数にかかわらず一定の繰返し数を使用することを特徴とする請求項１３に記載の無線通信システム。
【請求項１５】
前記生成部は、コード多重のための処理も実行することを特徴とする請求項１３または１４に記載の無線通信システム。
【請求項１６】
前記生成部は、前記基地局において決定されたガードインターバル長であって、かつセル構成、セル半径、セルにおけるマルチパス遅延の大きさ、セル内のユーザ数、繰返し後の系列の大きさ、のうちの少なくとも１つをもとに決定されたガードインターバル長のガードインターバルを挿入することを特徴とする請求項１３ないし１５のいずれか１項に記載の無線通信システム。